(57)【特許請求の範囲】
【請求項１】
検出すべき情報に応じた波形の電界強度をもつ電界が電界伝達媒体と大地間に誘起されたときに電界が誘起される場所を介して対向する２つの電極と、
第１の前記電極の電圧を、第２の前記電極に導通するグランド配線の電位を基準にして増幅するとともに増幅後の波形により前記情報を検出する検出回路とを備え、
前記検出回路は、前記電極間を避けて配置され、且つ、筐体に収納され、
前記第１の電極と前記第２の電極とを、伸縮可能な部材を介して、前記筐体の外側の面に設けた
ことを特徴とする通信装置。
【請求項２】
前記検出回路を、
前記電極間の電位差を差動増幅するとともに増幅後の波形により該情報を検出する検出回路に置き換えた
ことを特徴とする請求項１記載の通信装置。
【発明の詳細な説明】
【技術分野】
【０００１】
本発明は、検出回路からのノイズが電極間の電界に重畳されるのを防止できる通信装置を提供するに関する。
【背景技術】
【０００２】
近年においては、人体などの電界伝達媒体と大地間に電界を誘起させることにより情報を送受信する通信装置が開発されるようになった（非特許文献１参照）。
【非特許文献１】"RedTacton"、［ｏｎｌｉｎｅ］、日本電信電話株式会社、［平成１９年３月８日検索］、インターネット〈ＵＲＬ：http://www.redtacton.com/〉
【発明の開示】
【発明が解決しようとする課題】
【０００３】
図２は、上記のような通信装置１０とその情報検出の様子を示す図である。
【０００４】
送信側の通信装置（不図示）により、伝達すべき情報に応じた波形の電界強度をもつ電界が電界伝達媒体Ｍ（机など）と大地間に誘起される。これにより通信装置１０の電極ＰＳとＰＧ間に電界Ｅが誘起される。
【０００５】
通信装置１０の検出回路１１では、電極ＰＳの電圧を、電極ＰＧに導通するグランド配線の電位を基準にして増幅するとともに増幅後の波形により情報を検出する。
【０００６】
しかし、電極ＰＳとＰＧ間に検出回路１１が配置されているので、そこからのノイズが電界Ｅに重畳され、情報検出ができないという問題が発生する。
【０００７】
本発明は、上記の課題に鑑みてなされたものであり、その目的とするところは、検出回路からのノイズが電極間の電界に重畳されるのを防止できる通信装置を提供することにある。
【課題を解決するための手段】
【０００８】
請求項１記載の本発明は、検出すべき情報に応じた波形の電界強度をもつ電界が電界伝達媒体と大地間に誘起されたときに電界が誘起される場所を介して対向する２つの電極と、第１の前記電極の電圧を、第２の前記電極に導通するグランド配線の電位を基準にして増幅するとともに増幅後の波形により前記情報を検出する検出回路とを備え、前記検出回路は、前記電極間を避けて配置され、且つ、筐体に収納され、前記第１の電極と前記第２の電極とを、伸縮可能な部材を介して、前記筐体の外側の面に設けたことを特徴とする通信装置をもって解決手段とする。
【０００９】
請求項１記載の本発明によれば、電極間を避けて検出回路を配置したので、そこからのノイズが電極間の電界に重畳されず、情報検出ができないという問題の発生を防止することができる。
【００１１】
また、検出回路を筐体に収納し、第１の電極と第２の電極とを、伸縮可能な部材を介して、前記筐体の外側の面に設けたので、検出回路からのノイズが電極間の電界に重畳されず、情報検出ができないという問題の発生を防止することができ、しかも、伸縮可能な部材により、各電極の電界伝達媒体との距離を一定にでき、安定した情報検出が可能となる。
【００１４】
請求項２記載の本発明は、前記検出回路を、前記電極間の電位差を差動増幅するとともに増幅後の波形により該情報を検出する検出回路に置き換えたことを特徴とする請求項１記載の通信装置をもって解決手段とする。
【００１５】
請求項２記載の本発明によれば、電極間の電位差を差動増幅することで、電極両方の電圧に重畳されたノイズがキャンセルされるので、情報検出の感度を高めることができる。
【発明の効果】
【００１６】
本発明によれば、電極間を避けて検出回路を配置したので、そこからのノイズが電極間の電界に重畳されず、情報検出ができないという問題の発生を防止することができる。
【発明を実施するための最良の形態】
【００１７】
以下、本発明の実施の形態を図面を参照して説明する。
【００１８】
図１は、一実施の形態に係る通信装置１とその情報検出の様子を示す図である。
【００１９】
通信装置１は、送信側の通信装置（不図示）から伝達される情報を検出し、情報をノート型コンピュータ２へ送信するものである。通信装置１は、ノート型コンピュータ２のカードスロットに挿入されるコンパクトフラッシュ（登録商標）カード型の筐体１ｃと、その中に収納される検出回路１１と、筐体１ｃの外側に設けた電極などを備える。
【００２０】
通信装置１にあっては、筐体１ｃの外側に伸縮可能なスポンジＳＰと絶縁シートＩＳ１（粘着テープなど）を介して電極ＰＧが対向する。また、筐体１ｃの外側にスポンジＳＰと絶縁シートＩＳ１と電極ＰＧと絶縁シートＩＳ２（紙など）を介して電極ＰＳが対向する。また、電極ＰＳの反対側は絶縁シートＩＳ３（粘着テープなど）で保護される。
【００２１】
ノート型コンピュータ２は、机などの電界を伝達する媒体（電界伝達媒体Ｍという）の上に置かれ、電界伝達媒体Ｍにおいては、電極ＰＳに対向する位置に電極ＭＰが設けられている。
【００２２】
電極ＰＳは、リード線などにより、検出回路１１内の増幅器の入力端子に導通している。電極ＰＧは、リード線などにより、検出回路１１内のグランド配線に導通している。
【００２３】
この実施の形態では、送信側の通信装置により、伝達すべき情報に応じた波形の電界強度をもつ電界が電界伝達媒体Ｍと大地間に誘起される。
【００２４】
これにより通信装置１の電極ＰＳとＰＧ間に電界Ｅが誘起される。なお、電極ＭＰにより電界Ｅの電界強度を高める効果が得られる。
【００２５】
通信装置１の検出回路１１は、電極ＰＳの電圧を、電極ＰＧに導通するグランド配線の電位を基準にして増幅するとともに増幅後の波形により情報を検出する。そして、通信装置１は、その情報をノート型コンピュータ２へ送信する。
【００２６】
上記のように電極ＰＳとＰＧ間を避けて検出回路１１を設けたので、そこからのノイズが電界Ｅに重畳されず、情報検出ができないという問題の発生を防止することができる。  具体的には、検出回路１１を筐体１ｃに収納し、筐体１ｃの外側に電極ＰＧを対向させ、筐体１ｃの外側に電極ＰＧを介して電極ＰＳを対向させることで、かかる効果が得られる。
【００２７】
また、筐体１ｃと電極ＰＧ間に伸縮可能な部材であるスポンジＳＰを設けたので、電極ＰＧ、ＰＳの電界伝達媒体Ｍとの距離をカードスロットの高さによらず一定にでき、安定した情報検出が可能となる。
【００２８】
なお、検出回路１１を別な検出回路に置き換えてもよい。例えば、それは、電極ＰＳ、ＰＧ間の電位差を差動増幅するとともに増幅後の波形により情報を検出する検出回路である。
【００２９】
図１の検出回路１１では、電極ＰＳの電圧にノイズが重畳されたときには情報検出の感度が低下するが、差動増幅を行えば、ノイズは電極両方の電圧に重畳されキャンセルされるので、情報検出の感度を高めることができる。
【００３０】
また、検出回路１１を電極間を避けて設けることで、電極間の距離を短くできる。これにより、検出回路１１以外から電極間へのノイズ進入を防止することができる。また、電極間の距離が短いと、各電極の電圧に重畳されるノイズの大きさ同士をできるだけ等しくでき、差動増幅を行う場合の情報検出の感度を一層高めることができる。
【００３１】
なお、検出回路１１は電極ＰＳとＰＧ間を避けて設ければよく、図１の形態に限定されない。例えば、名刺型の筐体１ｃをポケットに入れて、電界伝達媒体Ｍである人体に近接させるような場合にも、電極ＰＳ、ＰＧなどを筐体１ｃの一方側に設ければよい。
【００３２】
また、電極ＰＳ、ＰＧは対向しているが、電界Ｅが誘起されるのであれば、異なる方向を向いていてもよい。
【図面の簡単な説明】
【００３３】
【図１】一実施の形態に係る通信装置１とその情報検出の様子を示す図である。
【図２】電界を用いて通信する通信装置１０とその情報検出の様子を示す図である。
【符号の説明】
【００３４】
１  通信装置
２  ノート型コンピュータ
１１  検出回路
１ｃ  筐体
Ｍ  電界伝達媒体
ＰＧ、ＰＳ  電極
ＩＳ１、ＩＳ２、ＩＳ３  絶縁シート
ＳＰ  スポンジ
【図１】
0004435218.tif 000002
【図２】
0004435218.tif 000003